(57)【要約】【課題】液状物が固化したサンプルを少量だけ取り分けられるサンプリング容器及びその使用方法を提供する。【解決手段】第１のカップ７と、第１のカップ７内に組み入れ可能で、しかも組み入れ時に側板１６外周面が第１のカップ７の側板１２内周面に対して間隙を隔て得る第２のカップ８とを備え、第２のカップ８の側板１６に、上縁から下方へ向かうスリット１７を切り込んだ構成を採り、第２のカップ８に注いだ溶融ガラスをスリットから第２のカップ８の側板１６の外周面へと滴らせ、この滴った溶融ガラスを固化させてガラス薄片を得る。【選択図】図１
2008216171.tif 000002
【特許請求の範囲】
【請求項１】
第１のカップと、当該第１のカップ内に組み入れ可能で、しかも組み入れ時に外周面が第１のカップの内周面に対して間隙を隔て得る第２のカップとを備え、当該第２のカップに、その内部に注いだ液状物を外周面へと滴らせるための導液路を形作ったことを特徴とするサンプリング容器。
【請求項２】
第２のカップに形作った導液路が、第２のカップの上縁から下方へ切り込んだスリットである請求項１に記載のサンプリング容器。
【請求項３】
第１のカップ内に第２のカップを組み入れ、溶融ガラスを第２のカップに注いで、少量の溶融ガラスを導液路から第２のカップ外周面へと滴らせ、この滴った溶融ガラスを自然に固化させてガラス薄片を形成した後、第１のカップ内の第２のカップを取り出し、前記ガラス薄片を第２のカップ外周面から剥離させて分析試料に使うことを特徴とする請求項１及び請求項２のいずれかに記載のサンプリング容器の使用方法。
【発明の詳細な説明】
【技術分野】
【０００１】
本発明はサンプリング容器及びその使用方法に関するものである。
【背景技術】
【０００２】
使用済み燃料の再処理に伴って発生する廃液は、廃液処理設備においてガラス固化処理される。
【０００３】
図６はガラス固化処理に用いるガラス固化体容器の一例であって、この固化体容器は、底部が閉塞した長円筒状の容器胴部１と、該容器胴部１の上部に連なる短筒状の流入管２及びその上端外周縁部に設けたフランジ３からなる容器頭部４と、前記流入管２の上端面に当接し且つフランジ３に内接するように配置される蓋体５とを備えている。
【０００４】
これらの容器胴部１、流入管２、容器頭部４及び蓋体５の形成素材には、剛性が高く、しかも耐腐蝕性に優れたステンレス鋼が用いられる。
【０００５】
放射性廃液をガラス固化処理する際には、溶融炉内で液状を呈するように加熱保温されている溶融ガラスに放射性廃液を混入し、この放射性廃液を含んだ溶融ガラスを、流入管２から容器胴部１内へ流下させる。
【０００６】
更に、容器胴部１内の溶融ガラスが自然風冷によって固化した後、蓋体５下面周縁部が流入管２の上端面に接し且つ蓋体５外周面がフランジ３に内接するように蓋体５を配置したうえ、容器頭部４に対して固着する。
【０００７】
このようにして製造されたガラス固化体は、崩壊熱が取り除かれるまで廃棄物保管施設に保管される。
【０００８】
固化体容器に充填したガラスの組成は、溶融炉に供給される廃液の分析結果、及びガラス原料の量を把握することにより算定できるが、将来、実際に製造したガラスの組成分析や浸出試験を行うためには、ガラス固化処理時にサンプルを確保しておく必要がある。
【０００９】
ガラス固化処理に際してサンプルを得るための装置としては、固化体容器の溶融ガラス流入口に、入れ子関係の筒状外側部材と筒状内側部材とを設けて、溶融ガラスを筒状内側部材で受けるようにしたものが提案されている（例えば、特許文献１参照）。
【特許文献１】特開平５−２６４４１７号公報
【発明の開示】
【発明が解決しようとする課題】
【００１０】
組成分析や浸出試験を行うときには、少量（２ｇ程度）のガラスを粉末状にして用いることになるが、特許文献１のものは、筒状内側部材に溜まって固化したガラスを少量だけ取り出すことは困難である。
【００１１】
本発明は、液状物が固化したサンプルを少量だけ取り分けられるサンプリング容器及びその使用方法を提供することを目的としている。
【課題を解決するための手段】
【００１２】
上記目的を達成するため、請求項１に記載の発明は、第１のカップと、当該第１のカップ内に組み入れ可能で、しかも組み入れ時に外周面が第１のカップの内周面に対して間隙を隔て得る第２のカップとを備え、当該第２のカップに、その内部に注いだ液状物を外周面へと滴らせるための導液路を形作ってある。
【００１３】
請求項２に記載の発明は、第２のカップに形作った導液路を、第２のカップの上縁から下方へ切り込んだスリットとしてある。
【００１４】
請求項３に記載の発明は、第１のカップ内に第２のカップを組み入れ、溶融ガラスを第２のカップに注いで、少量の溶融ガラスを導液路から第２のカップ外周面へと滴らせ、この滴った溶融ガラスを自然に固化させてガラス薄片を形成した後、第１のカップ内の第２のカップを取り出し、前記ガラス薄片を第２のカップ外周面から剥離させて分析試料に使う。
【発明の効果】
【００１５】
本発明のサンプリング容器及びその使用方法によれば、下記のような優れた効果を奏し得る。
【００１６】
（１）第２のカップに注いだ液状物がその液面上昇に伴い、導液路を経て第２のカップ外周面へと滴るので、これを少量のサンプルとして得ることができ、また、もしも誤操作によって液状物が第２のカップから溢れ出したとしても、第１のカップで液状物の流出を阻止できる。
【００１７】
（２）導液路をスリットとした場合、液状物を第２のカップ外周面へと確実に滴らせることができる。
【００１８】
（３）溶融ガラスを導液路から第２のカップ外周面へと滴った溶融ガラスを固化させてガラス薄片を形成した後、第１のカップ内の第２のカップを取り出すことにより、任意のときに、前記ガラス薄片を第２のカップ外周面から剥離させて分析試料に使える。
【発明を実施するための最良の形態】
【００１９】
以下、本発明の実施の形態を図面に基づき説明する。
【００２０】
図１〜図５は本発明のサンプリング容器の一例であって、ハンドリング用のツール６で支持される第１のカップ７と、当該第１のカップ７内に組み入れ可能な第２のカップ８とを備えている。
【００２１】
ツール６は、略水平に延び、マニピュレータ（図示せず）により遠隔操作される支持部９と、当該支持部９の先端から上方へ略垂直に突出する係合部１０とを有している。
【００２２】
第１のカップ７は、平面視が円形で、しかも底面がツール６の支持部９に載る底板１１と、当該底板１１の外縁全周に連なって上方へ延びる筒状の側板１２とを有している。
【００２３】
側板１２の上縁は、目視や撮像手段を用いたカップ内部の視認性などの点を考慮して、底板１１に対して全体的に傾斜させてある。
【００２４】
側板１２の最高位部分の下方になる底板１１外縁近傍個所には、ツール６の係合部１０が差し込まれる開口１３が穿設してある。
【００２５】
底板１１上面の開口１３の周囲から側板１２の最高部位までの間には、開口１３に差し込んだツール６の係合部１０を全体的に覆うカバー１４が設けてある。
【００２６】
つまり、底板１１の開口１３の係合部１０を差し込み、第１のカップ７の差し渡し方向に支持部９が位置するように、当該支持部９に底板１１を載せて、マニピュレータにより第１のカップ７を遠隔操作する。
【００２７】
第２のカップ８は、平面視が略四角形（四隅に面取りを施した正方形）で、しかも底面が前記第１のカップ７の底板１１に載る底板１５と、当該底板１５の各辺に連なって上方へ略垂直に延びる型枠状の側板１６とを有しており、第１のカップ７内に第２のカップ８を組み入れると、第２のカップ８の側板１６外周面が、第１のカップ７の側板１２内周面に対して間隙を隔てる。
【００２８】
第２のカップ８の各側板１６には、その上縁から下方へ延びるスリット１７が形作ってある。
【００２９】
スリット１７は、第２のカップ８の内部に注いだ溶融ガラスＧを、側板１６外周面へと滴らせる導液路としての役割を果たす。
【００３０】
このため、スリット１７の下端は、側板１６の内周面から外周面に向けて急な下り傾斜を呈するようにしてある。
【００３１】
次に、サンプリング容器の使用方法について述べる。
【００３２】
まず、第１のカップ７内に第２のカップ８を組み入れ、溶融ガラスＧを第２のカップ８に慎重に注いで、少量の溶融ガラスＧをスリット１７から側板１６外周面へと滴らせる。
【００３３】
このとき、誤操作により溶融ガラスＧが第２のカップ８から溢れ出したとしても、第１のカップ７で溶融ガラスＧの流出を阻止できる。
【００３４】
側板１６に滴った溶融ガラスＧが自然に固化してガラス薄片Ｓを形成したならば、第１のカップ７内の第２のカップ８を取り出し、放射線管理区域内に保管しておく。
【００３５】
すなわち、ガラス薄片Ｓが少量だけ選択的に取り分けるサンプルとなる。
【００３６】
この後、ガラス薄片Ｓをスクレーパなどの簡易な工具により第２のカップ８の側板１６外周面から剥離させれば、当該ガラス薄片Ｓを分析試料に使うことができる。
【００３７】
更に、第１のカップ７に新たに未使用の第２のカップ８を組み入れ、第１のカップ７は再使用して次回のサンプル採集を行う。
【００３８】
なお、本発明のサンプリング容器及びその使用方法は、上述した実施の形態のみに限定されるものではなく、本発明の要旨を逸脱しない範囲において変更を加え得ることは勿論である。
【産業上の利用可能性】
【００３９】
本発明のサンプリング容器及びその使用方法は、溶融ガラス以外の様々な液状物からのサンプル採集にも適用できる。
【図面の簡単な説明】
【００４０】
【図１】本発明のサンプリング容器の一例を示す縦断面図である。
【図２】図１のＩＩ−ＩＩ矢視図である。
【図３】図１に関連する第１のカップの斜視図である。
【図４】図１に関連する第２のカップの斜視図である
【図５】図４の第２のカップに溶融ガラスを注いだ後の状態を示す斜視図である。
【図６】ガラス固化体容器の一例を示す縦断面図である。
【符号の説明】
【００４１】
７  第１のカップ
８  第２のカップ
１７  スリット（導液路）
Ｇ  溶融ガラス（液状物）
Ｓ  ガラス薄片
【図１】
2008216171.tif 000003
【図２】
2008216171.tif 000004
【図３】
2008216171.tif 000005
【図４】
2008216171.tif 000006
【図５】
2008216171.tif 000007
【図６】
2008216171.tif 000008